(57)【要約】【課題】    特定の狭い干渉物のある場所でのボルト、ナット、の締め付け及び緩め時、作業が効率よくなるよう、グリップを回転させることにより、出力先も回転する、柄の端に回転軸をロックできるボタンを設けた回転軸止めボタン付き手動回転レンチ工具を提供する。【解決手段】    柄（７）にベアリング（５）、（８）、回転軸止めボタン（１６）、（１７）付ネジ式ベアリング押さえ（９）、ギヤ（１４）、止め金（１５）付回転軸（６）、ジョイント（１０）、グリップ（１１）を設けた部品を組み合わせ、ギヤボックッス（１）にネジ（１８）で取り付け、出力ギヤ本体軸（１３）、ベアリング大（１２）、補助ギヤ（４）、フランジ付きベアリング（２）、（３）、ボックスの蓋（２０）、（２２）、ネジ（１９）、（２１）を設けた物品を組み合わせた回転軸止めボタン付き手動回転レンチ工具を特徴とする。【選択図】図２
2010173057.tif 000002
【特許請求の範囲】
【請求項１】
柄（７）の両端にベアリング（５）、（８）を設け、一端には回転軸止めボタン（１６）、（１７）付ネジ式ベアリング押さえ（９）を設け、ベアリング（５）、（８）の穴に、ギヤ（１４）、止め金（１５）付回転軸（６）を通し、ジョイント（１０）とグリップ（１１）を組み合わせ、ギヤボックッス（１）にネジ（１８）で取り付け、ギヤボックッス（１）内下側から、出力ギヤ本体軸（１３）、ベアリング大（１２）、ボックスの蓋（２２）、ネジ（２１）の順に組み込み、上側にはフランジ付きベアリング（３）、補助ギヤ（４）、フランジ付きベアリング（２）、ボックスの蓋（２０）、ネジ（１９）、の順に組み合わせた物品を設けた回転軸止めボタン付き手動回転レンチ工具。
【発明の詳細な説明】
【技術分野】
【０００１】  この発明は、手動で回転させるグリップと柄の部分に回転軸止めボタンを設けた、回転軸止めボタン付き手動回転レンチ工具に関するものである。
【背景技術】
【０００２】  従来、ボルトやナットの締め付け及び緩めるとき工具をセットし、柄の部分をつかみ、締め付け及び緩め方向に力を加え作業していた。
【発明の開示】
【発明が解決しようとする課題】
【０００３】  特定の狭い場所、干渉物のある場所でのボルト、ナットの緩め作業では、スパナーレンチの柄の部分が干渉物などに当たってしまい、ボルト、ナットにセットして一度に緩められる角度を得られず、少し緩めてはかけかえる動作を何度も繰り返し、作業効率が悪かった。
ラチェット式ソケットレンチなどは、初めは緩められるが、一、二度と柄を動かし緩めている内に、ギヤが噛み合わなくなり緩められなくなるなど。
ネジ山部分にサビつきや古くなって固まったコーティング剤などが塗ってあり、手で緩めるには硬すぎ、ラチェット式ソケットレンチで緩めるには軽すぎて空回りするなど。
本発明は、以上の欠点を補うためになされたものである。
【課題を解決するための手段】
【０００４】  柄（７）にベアリング（５）、（８）を設け、回転軸止めボタン（１６）、（１７）付ネジ式ベアリング押さえ（９）を設け、ギヤ（１４）、止め金（１５）付回転軸（６）、ジョイント（１０）、グリップ（１１）を組み合わせた柄（７）をギヤボックッス（１）に、ネジ（１８）で取り付け、出力ギヤ本体軸（１３）、ベアリング大（１２）、補助ギヤ（４）、フランジ付きベアリング（２）、（３）、ボックスの蓋（２０）、（２２）、ネジ（１９）、（２１）を組み合わせた物品を設ける。
本発明は、以上の構成による回転軸止めボタン付き手動回転レンチ工具である。
【発明の効果】
【０００５】  ボタンを使うことでソケットレンチの様な使い方もでき、グリップを回せばソケットを取り付けた部分も回転するので、手では少々緩め難いサビつきや古くなって固まったコーティング剤の付いたボルト、ナットでも、工具を何度もかけかえることなく作業できる。
【発明を実施するための最良の形態】
【０００６】  以下、本発明を実施するための最良の形態について説明する。
柄（７）の両端にベアリング（５）、（８）を設け、ベアリング（５）、の方からベアリング（８）の方向に、ギヤ（１４）、止め金（１５）付き回転軸（６）を通し、ジョイント（１０）を設け、回転軸止めボタン（１６）、（１７）付ネジ式ベアリング押さえ（９）でねじ込み固定し、グリップ（１１）を取り付け組み合わせた物品を、ギヤ（１４）が突き出た柄（７）の方をネジ（１８）でギヤボックッス（１）に取り付け固定する。
ギヤボックッス（１）内、下側から出力ギヤ本体軸（１３）とギヤ（１４）を噛み合わせ、ベアリング大（１２）、ボックスの蓋（２２）、ネジ（２１）の順に取り付け、ギヤボックッス（１）内、上側からはフランジ付きベアリング（３）、補助ギヤ（４）、フランジ付きベアリング（２）、ボックスの蓋（２０）、ネジ（１９）の順に組み合わせ取り付ける。
本発明品は以上の構造である。
【実施例】
【０００７】  特定の狭い場所や干渉物のある場所での、ボルト、ナットの緩め時、本発明品に緩めたい物のサイズに合うソケットを取り付け、柄を締め付け方向へ干渉物に当る所まで振り、柄にあるボタンを二箇所同時に握るように押しながら緩める、干渉物に当ったら、ボタンを握った手を緩めながら、柄の部分を再び締め付け方向へ振る。
数回繰り返しある程度緩めたら、ボタンから手を離し、このときボタンを押さないように、柄を掴みグリップを緩め方向に回転させ、ボルト、ナットを取り外す。
使う場所や緩め難さに応じて、大小グリップを取替え使用する。
回転軸止めボタンを使うときは、ストッパーとジョイント部分が完全に噛み合うよう、ボタンを軽く握りながらグリップを左右に少し回しながら調節し、完全に噛み合ってからしっかりボタンを握り行なう。
【図面の簡単な説明】
【０００８】
【図１】本発明の斜視図である。
【図２】本発明の側面の断面図である。
【図３】本発明のネジ式ベアリング押さえの部分を分解し角度を変えた説明図と、さらに回転軸止めボタンを分解した説明図である。
【図４】本発明のギヤボックスからグリップまでの分解図である。
【図５】本発明のギヤボックス内の分解図である。
【図６】本発明のギヤボックスを横に９０°三段階にわけ、回転させた説明図である。
【図７】本発明の柄の部分を横に９０°三段階にわけ、回転させた説明図である。
【図８】本発明の側面図である。
【図９】本発明の底面図である。
【符号の説明】
【０００９】    １  ギヤボックス
２  フランジ付きベアリング
３  フランジ付きベアリング
４  補助ギヤ
５  ベアリング
６  回転軸
７  柄
８  ベアリング
９  ネジ式ベアリング押さえ
１０  ジョイント
１１  グリップ
１２  ベアリング大
１３  出力ギヤ本体軸
１４  ギヤ
１５  止め金
１６  回転軸止めボタン
１７  回転軸止めボタン
１８  ネジ
１９  ネジ
２０  ボックスの蓋
２１  ネジ
２２  ボックスの蓋
２３  ネジ
２４  鉄板
２５  スプリング
２６  ストッパー
【図１】
2010173057.tif 000003
【図２】
2010173057.tif 000004
【図３】
2010173057.tif 000005
【図４】
2010173057.tif 000006
【図５】
2010173057.tif 000007
【図６】
2010173057.tif 000008
【図７】
2010173057.tif 000009
【図８】
2010173057.tif 000010
【図９】
2010173057.tif 000011